(57)【要約】【課題】流量センサ等を使用せずに上水流量に応じて通電量を調整することができるミスト噴霧装置を提供すること。【解決手段】浴室内に上水を噴霧するためのミストノズルと、ミストノズルに上水を供給するミスト水通路と、上水を加熱するためにミスト水通路に介装された加熱手段と、上水に通電して次亜塩素酸を含む電解水を生成するためにミスト水通路に介装された電解水生成手段と、上水の噴霧を制御する制御手段を有するミスト噴霧装置において、加熱手段は外部の熱源機との間で循環させる温水と上水との間で熱交換させる熱交換器を備え、電解水生成手段は通電のために上水に浸漬させる複数の電極を備え、制御手段は、温水の温度及び流量を調整して上水の加熱後の温度を調整し、且つ温水の温度と流量の何れか一方又は両方に基づいて推定した上水流量に応じて複数の電極間の通電量を調整する。【選択図】図２
2020130850.tif 000002
【特許請求の範囲】
【請求項１】
浴室内に上水を噴霧するためのミストノズルと、前記ミストノズルに上水を供給するミスト水通路と、上水を加熱するために前記ミスト水通路に介装された加熱手段と、上水に通電して次亜塩素酸を含む電解水を生成するために前記ミスト水通路に介装された電解水生成手段と、上水の噴霧を制御する制御手段を有するミスト噴霧装置において、
前記加熱手段は、外部の熱源機との間で循環させる温水と上水との間で熱交換させる熱交換器を備え、
前記電解水生成手段は通電のために上水に浸漬させる複数の電極を備え、
前記制御手段は、前記温水の温度及び流量を調整して上水の加熱後の温度を調整し、且つ前記温水の温度と流量の何れか一方又は両方に基づいて推定した上水流量に応じて前記複数の電極間の通電量を調整することを特徴とするミスト噴霧装置。
【請求項２】
前記制御手段は、前記温水の温度、流量の過去の実績値又は現在値に基づいて推定した上水流量に応じて前記通電量を調整することを特徴とする請求項１に記載のミスト噴霧装置。
【請求項３】
前記温水の流量を調整するための流量調整弁をさらに備え、
前記制御手段は、前記流量調整弁の開度に比例するように前記通電量を調整することを特徴とする請求項１又は２に記載のミスト噴霧装置。
【請求項４】
前記熱交換器に供給される前記温水の温度を検知する第１温度センサと、前記熱交換器で熱交換した後の前記温水の温度を検知する第２温度センサをさらに備え、
前記制御手段は、前記第１温度センサの検知温度から前記第２温度センサの検知温度を減算した差温に比例するように前記通電量を調整することを特徴とする請求項１〜３の何れか１項に記載のミスト噴霧装置。
【発明の詳細な説明】
【技術分野】
【０００１】
本発明は、浴室内にミストを噴霧するミスト噴霧装置に関し、特に殺菌作用を有する電解水を含んだ上水を噴霧することができるミスト噴霧装置に関する。
【背景技術】
【０００２】
従来から、上水又は加熱した上水を浴室内に噴霧するミスト噴霧装置が広く利用されている。例えば特許文献１のように、熱源機で加熱された温水との熱交換により上水を加熱してミストノズルから高温のミストを噴霧するミスト噴霧装置が知られている。
【０００３】
特許文献１のミスト噴霧装置は、上水道から供給される上水に塩素が含まれていること利用して、上水に通電して生成される次亜塩素酸を含んだ殺菌作用を有する電解水を生成する電解水生成装置を備えている。この電解水を含んだ上水を浴室内にミストとして噴霧することによって、電解水の殺菌作用により浴室内のカビ等の発生や増殖を抑えることができる。
【先行技術文献】
【特許文献】
【０００４】
【特許文献１】特開２０１８−８２７９５号公報
【発明の概要】
【発明が解決しようとする課題】
【０００５】
十分な殺菌作用を有する電解水を含んだ上水を噴霧するためには、ミストノズルからの噴霧量、即ち噴霧される上水の流量に応じて次亜塩素酸の生成量を調整することが必要である。次亜塩素酸の生成は、上水に浸漬させた複数の電極の間に通電して上水の一部を電気分解することにより行い、次亜塩素酸の生成量はこの通電量に比例する。また、ミストノズルからの噴霧量は上水の供給圧に依存する。
【０００６】
ミスト噴霧装置が設置される地域や環境等によって上水の供給圧は異なるので、ミスト噴霧装置の仕様で定めた所定の範囲内の供給圧になるように施工するが、その範囲内で供給圧が異なるのでミストノズルから噴霧される上水の流量は一定ではない。その上、噴霧中に他の給水栓等での上水の使用により上水の供給圧が変動するので、噴霧される上水の流量が変動する。
【０００７】
このように一定でない上水の流量を検知する流量センサ等を配設すると、ミスト噴霧装置の製造コストが上昇するため好ましくないので、特許文献１のミスト噴霧装置には流量センサ等は装備されていない。それ故、上水の流量の大小にかかわらず十分な殺菌作用を確保できるように、供給圧が所定の範囲の上限のときの上水の最大流量に合わせた通電量を設定している。従って、上水の流量が最大流量より小さい場合には過剰な通電量の設定になっており、電力消費の無駄の発生や電極の耐用期間が短くなってしまう問題があった。
【０００８】
本発明の目的は、流量センサ等を使用せずに上水流量に応じて通電量を調整することができるミスト噴霧装置を提供することである。
【課題を解決するための手段】
【０００９】
請求項１の発明のミスト噴霧装置は、浴室内に上水を噴霧するためのミストノズルと、前記ミストノズルに上水を供給するミスト水通路と、上水を加熱するために前記ミスト水通路に介装された加熱手段と、上水に通電して次亜塩素酸を含む電解水を生成するために前記ミスト水通路に介装された電解水生成手段と、上水の噴霧を制御する制御手段を有するミスト噴霧装置において、前記加熱手段は、外部の熱源機との間で循環させる温水と上水との間で熱交換させる熱交換器を備え、前記電解水生成手段は通電のために上水に浸漬させる複数の電極を備え、前記制御手段は、前記温水の温度及び流量を調整して上水の加熱後の温度を調整し、且つ前記温水の温度と流量の何れか一方又は両方に基づいて推定した上水流量に応じて前記複数の電極間の通電量を調整することを特徴としている。
【００１０】
上記構成によれば、上水を加熱するために循環させる温水の温度と流量の何れか一方又は両方に基づいて噴霧される上水の流量を推定し、この推定した上水流量に応じて電解水生成手段の複数の電極間の通電量を調整する。従って、流量センサ等を使用せずに電解水生成手段の複数の電極間の通電量を調整することができる。
【００１１】
請求項２の発明のミスト噴霧装置は、請求項１の発明において、前記制御手段は、前記温水の温度、流量の過去の実績値又は現在値に基づいて推定した上水流量に応じて前記通電量を調整することを特徴としている。
【００１２】
上記構成によれば、上水を加熱せずに噴霧する場合には温水の温度、流量の過去の実績値に基づいて、上水を加熱して噴霧する場合には温水の温度、流量の過去の実績値又は現在値に基づいて、噴霧される上水の流量を推定し、この推定した上水流量に応じて電解水生成手段の複数の電極間の通電量を調整する。従って、流量センサ等を使用せずに電解水生成手段の複数の電極間の通電量を調整することができる。
【００１３】
請求項３の発明のミスト噴霧装置は、請求項１又は２の発明において、前記温水の流量を調整するための流量調整弁をさらに備え、前記制御手段は、前記流量調整弁の開度に比例するように前記通電量を調整することを特徴としている。
【００１４】
上記構成によれば、加熱して噴霧する上水の流量が大きい程循環させる温水の流量が大きいことを反映させて、循環させる温水の流量に比例する流量調整弁の開度に比例するように電解水生成手段の複数の電極間の通電量を調整する。従って、推定される上水流量に応じて電解水生成手段の複数の電極間の通電量を調整することができる。
【００１５】
請求項４の発明のミスト噴霧装置は、請求項１〜３の何れか１項の発明において、前記熱交換器に供給される前記温水の温度を検知する第１温度センサと、前記熱交換器で熱交換した後の前記温水の温度を検知する第２温度センサをさらに備え、前記制御手段は、前記第１温度センサの検知温度から前記第２温度センサの検知温度を減算した差温に比例するように前記通電量を調整することを特徴としている。
【００１６】
上記構成によれば、循環させる温水の熱交換器における熱交換前後の差温が大きい程加熱する上水の流量が大きいことを反映させて、循環させる温水の熱交換前後の差温に比例するように電解水生成手段の複数の電極間の通電量を調整する。従って、推定される上水流量に応じて電解水生成手段の複数の電極間の通電量を調整することができる。
【発明の効果】
【００１７】
本発明のミスト噴霧装置によれば、流量センサ等を使用せずに上水流量に応じて通電量を調整することができる。
【図面の簡単な説明】
【００１８】
【図１】本発明の実施例に係るミスト噴霧装置を装備した浴室のシステム構成図である。
【図２】本発明の実施例に係るミスト噴霧装置の構成図である。
【発明を実施するための形態】
【００１９】
以下、本発明を実施するための形態について実施例に基づいて説明する。
【実施例】
【００２０】
最初に浴室１のシステム構成について、図１に基づいて説明する。
浴室１に温水を供給する熱源機２が屋外に配設されている。浴室１の天井近傍には、矢印Ａで示すように浴室１から吸気した空気を外部の熱源機２から供給される温水の熱で温め、矢印Ｂで示すように送風して浴室１の暖房を行う天井カセットタイプの浴室暖房装置３が配設されている。熱源機２は、上水を加熱して浴室１の給湯栓２１やシャワー２２、浴槽２３に給湯する給湯機能や、浴槽２３の湯水の追焚機能等を備えていてもよい。また、熱源機２が浴室１以外の給湯や暖房も行うように構成されていてもよい。
【００２１】
浴室暖房装置３には、浴室１内に上水を噴霧するための複数のミストノズル３ａが装備されている。また、熱源機２から供給される温水の熱を利用して上水道に接続された給水通路５から供給される上水を加熱する加熱手段を有するミストユニット１１が浴室暖房装置３に装備されている。そして、ミストユニット１１がミスト水通路１３を介して複数のミストノズル３ａに接続されてミスト噴霧装置１０が構成されている。
【００２２】
熱源機２は、例えば燃料の燃焼熱を利用して加熱した温水を供給する燃焼式の熱源機であるが、ヒートポンプ式の熱源機や燃料電池等の発電時の熱を利用する熱源機等であってもよい。熱源機２には、加熱した温水を浴室暖房装置３に供給する暖房往き通路６と、浴室暖房装置３で暖房に利用された温水が戻ってくる暖房戻り通路７が接続されている。図示を省略するが、例えば熱源機２の内蔵ポンプ等によって、熱源機２と浴室暖房装置３の間で温水を暖房往き通路６と暖房戻り通路７を介して循環させる。
【００２３】
次に、浴室暖房装置３とミスト噴霧装置１０について、図２に基づいて説明する。
浴室暖房装置３は、熱源機２から供給される温水と浴室１の空気との間で熱交換させる暖房用熱交換器３ｃと送風ファン３ｄを備えている。この浴室暖房装置３は、送風ファン３ｄを駆動して暖房用熱交換器３ｃに浴室１の空気を送風すると共に暖房用熱交換器３ｃで温められた空気を浴室１に送風する暖房運転を行う。
【００２４】
また、浴室暖房装置３は、浴室１の温度を検知する浴室温度センサ３ｅと、浴室１の湿度を検知する湿度センサ３ｆと、送風ファン３ｄと各種センサと熱源機２とミスト噴霧装置１０等に通信可能に接続されて暖房運転等を制御する暖房コントローラ３ｇを備えている。浴室暖房装置３は、浴室１の空気を排出するための排気口３ｈと換気ファン３ｉを備えていてもよい。
【００２５】
暖房用熱交換器３ｃの複数のフィンを備えた伝熱管には、暖房往き通路６と暖房戻り通路７が接続されている。浴室暖房装置３は、暖房往き通路６を開閉するための熱動弁６ａと、熱源機２から供給される温水の温度を検知する温水往き温度センサ６ｂ（第１温度センサ）を有する。また、浴室暖房装置３は、暖房用熱交換器３ｃで浴室１の空気と熱交換をした後の暖房戻り通路７を流通する温水の温度を検知する暖房戻り温度センサ７ａを有する。これら熱動弁６ａや温水往き温度センサ６ｂ、暖房戻り温度センサ７ａも暖房コントローラ３ｇに通信可能に接続されている。
【００２６】
ミスト噴霧装置１０は、給水通路５からミストユニット１１に供給される上水を複数のミストノズル３ａに供給するためのミスト水通路１３を有する。複数のミストノズル３ａは、噴霧と噴霧停止を切替えるために夫々開閉弁を有する。
【００２７】
ミストユニット１１は、加熱手段１４と電解装置１５（電解水生成手段）と開閉弁１６（電磁弁）を有する。加熱手段１４は、ミスト水通路１３の上水を加熱するためにミスト水通路１３に介装されている。電解装置１５は、ミスト水通路１３の上水に通電して次亜塩素酸を含んだ電解水を生成するためにミスト水通路１３に介装されている。開閉弁１６は、ミスト噴霧時に開放され、噴霧停止時に閉止される。加熱手段１４と電解装置１５は、ミスト水通路１３に直列に介装されているが、並列に介装されて何れか一方又は両方に上水を供給するために分配弁や複数の開閉弁で構成された分配手段を備えていてもよい。
【００２８】
加熱手段１４は、暖房往き通路６から分岐されて暖房戻り通路７に接続された暖房用熱交換器３ｃをバイパスするバイパス通路８の温水とミスト水通路１３の上水の間で熱交換させるミスト用熱交換器１４ａを有する。バイパス通路８のミスト用熱交換器１４ａより上流側には、ミスト用熱交換器１４ａと熱源機２との間で循環させる温水の流量を調整するための流量調整弁１４ｂが配設されている。バイパス通路８のミスト用熱交換器１４ａより下流側には、ミスト用熱交換器１４ａで熱交換をした後の温水の温度を検知する温水戻り温度センサ１４ｃ（第２温度センサ）が配設されている。
【００２９】
ミスト水通路１３のミスト用熱交換器１４ａより下流側には、複数のミストノズル３ａから噴霧される上水の温度を検知するミスト水温度センサ１３ａが配設されている。これらのミストノズル３ａの開閉弁やミストユニット１１の開閉弁１６、流量調整弁１４ｂ、ミスト水温度センサ１３ａ，温水戻り温度センサ１４ｃ、電解装置１５等もミスト噴霧装置１０の制御手段として暖房コントローラ３ｇに通信可能に接続されている。
【００３０】
暖房コントローラ３ｇには、暖房運転や後述する温水ミスト運転等の開始、停止の操作や温度の設定操作等を行うための浴室操作端末Ｒ１と浴室外操作端末Ｒ２が接続されている。尚、ミスト噴霧装置１０が制御手段として専用のコントローラを有して暖房コントローラ３ｇや熱源機２のコントローラに通信接続され、これらと連携するように構成されていてもよく、熱源機２のコントローラをミスト噴霧装置１０の制御手段として使用するように構成されていてもよい。
【００３１】
電解装置１５は、図示を省略するがミスト水通路１３を流通する上水に浸漬させる複数の電極を有し、これら複数の電極間に通電して上水の一部を電気分解する。上水道から供給される上水には塩素（塩化物イオン）が含まれているので、上水の電気分解によって次亜塩素酸を含む電解水が生成される。電解水に含まれる次亜塩素酸の量は有効塩素濃度として表され、生成された電解水は最大１０ｐｐｍ程度の有効塩素濃度を有するが、有効塩素濃度が高い程カビ等に対する殺菌作用が強くなる。生成された殺菌作用を有する電解水を含んだ上水は、複数のミストノズル３ａから浴室１内に噴霧される。
【００３２】
一般的に電解水の有効塩素濃度は、電極間の通電量に比例する。ミスト水通路１３を流通している上水に通電するので、有効塩素濃度は通電時の電流値に比例し、上水の流量に反比例する。従って、十分な殺菌作用を得るために、暖房コントローラ３ｇは上水の流量に応じて通電量として電流値を調整する。尚、電解水の生成のために間欠的に通電するようにしてもよく、この場合は電流値と通電時間と非通電時間を調整して通電量を調整する。
【００３３】
次に、加熱した上水を噴霧する温水ミスト運転について説明する。
温水ミスト運転が開始されると、暖房コントローラ３ｇは熱源機２に温水ミスト運転のための温水の温度等の情報を送信して熱源機２を作動させ、温水を循環させる。また、暖房コントローラ３ｇは、ミスト水通路１３の開閉弁１６と複数のミストノズル３ａの開閉弁を夫々開放して、複数のミストノズル３ａからミスト用熱交換器１４ａで加熱された上水を噴霧させる。浴室暖房装置３は、温水ミスト運転と同時に暖房運転を行ってもよい。温水ミスト運転が停止されると、暖房コントローラ３ｇは、流量調整弁１４ｂを閉止開度にすると共に開閉弁１６等を閉止する。暖房運転を行っていなければ、熱源機２も停止させる。
【００３４】
温水ミスト運転中に暖房コントローラ３ｇは、温水往き温度センサ６ｂの検知温度と温水戻り温度センサ１４ｃの検知温度に基づいて、加熱後の上水の温度を検知するミスト水温度センサ１３ａの検知温度が予め設定された温度になるように流量調整弁１４ｂの開度を調整してミスト用熱交換器１４ａに循環させる温水の流量を調整する。例えば、温水ミスト運転開始直後の温水の温度が低い場合には流量調整弁１４ｂの開度を大きくし、温水の温度が安定したら各検知温度に基づいて流量調整弁１４ｂの開度を調整する。
【００３５】
このとき、暖房コントローラ３ｇは、温水往き温度センサ６ｂの検知温度から温水戻り温度センサ１４ｃの検知温度を減算した差温（温水の往きと戻りの差温）と、流量調整弁１４ｂの開度に対応する温水の流量に基づいて、ミスト水通路１３を流通する上水の加熱に利用された熱量を算出する。尚、流量調整弁１４ｂの開度に対応する温水の流量は予め試験等によって定まっており、暖房コントローラ３ｇが開度と流量の対応テーブル等を記憶している。
【００３６】
一般的に上水には０〜３０℃程度の範囲で季節による温度の変動があるが、瞬間的に大きく変動し難いので一定の温度（例えば１５℃）と見なして、ミスト水通路１３を流通する上水の加熱に利用された熱量に基づいて、暖房コントローラ３ｇはミスト水通路１３を流通する上水の流量（上水流量）を推定する。そして暖房コントローラ３ｇは、温水ミスト運転の推定された上水流量、温水の流量や温水の往きと戻りの差温等の実績値を更新しながら記憶する。一定と見なす上水の温度は季節に応じて変更してもよく、熱源機２が給湯装置であれば通常備えている給水温度センサの検知温度を上水の温度として利用することもできる。
【００３７】
次に、上水を加熱せずに噴霧する冷水ミスト運転について説明する。
冷水ミスト運転が開始されると、ミスト水通路１３の開閉弁１６と複数のミストノズル３ａの開閉弁を夫々開放して、上水道から供給される上水を複数のミストノズル３ａから噴霧させる。冷水ミスト運転が停止されると、暖房コントローラ３ｇは開閉弁１６等を閉止する。
【００３８】
次に、電解装置１５で生成した電解水を含んだ上水を噴霧する電解水ミスト運転について説明する。
電解水が有する殺菌作用を利用してカビ等の発生、繁殖を抑えるために、浴室１の清掃時等に電解水ミスト運転を行う。電解水ミスト運転が開始されると、冷水ミスト運転と同様にミスト水通路１３の開閉弁１６と複数のミストノズル３ａの開閉弁を夫々開放する。これと同時に、電解装置１５においてミスト水通路１３を流通する上水に通電して殺菌作用を有する電解水を生成し、この電解水を含んだ上水を複数のミストノズル３ａから噴霧させる。
【００３９】
暖房コントローラ３ｇは、過去の温水ミスト運転時に推定された上水流量、温水の往きと戻りの差温、温水の流量等の実績値を記憶している。そこで暖房コントローラ３ｇは、その上水流量の実績値が今回の電解水ミスト運転時の上水の流量と同じであると見なして、上水流量の実績値に比例するように電解装置１５の通電量を調整する。これにより、上水の加熱を行わないため温水の流量等から上水流量を推定できない場合でも、上水の最大流量に合わせて通電量を設定した場合と比べて、電力消費の無駄の発生や電極の耐用期間の短縮を抑えると共に、上水の流量の大小にかかわらず電解水の有効塩素濃度を保って一定の殺菌作用を確保することができる。
【００４０】
暖房コントローラ３ｇは、温水の往きと戻りの差温の実績値又は温水の流量の実績値からある程度推定できる上水流量に比例するように電解装置１５の通電量を調整することもできる。また、その差温の実績値と温水の流量の実績値に基づいて算出される上水の加熱に利用された熱量から上水流量を推定し、この上水流量に比例するように電解装置１５の通電量を調整することもできる。従って、上水の加熱を行わないため温水の流量等から上水流量を推定できない場合でも、過去の温水ミスト運転時の温水の温度や流量の実績値に基づいて推定した上水流量に応じて通電量を調整することができる。
【００４１】
電解水ミスト運転では、温水ミスト運転と同様に、電解水を含む加熱した上水を噴霧させることも可能である。暖房コントローラ３ｇは、加熱しない場合と同様に、記憶している上水流量の実績値、温水の往きと戻りの差温の実績値、温水の流量の実績値に基づいて電解装置１５の通電量を調整することができる。これにより、上水の最大流量に合わせて通電量を設定した場合と比べて、電力消費の無駄の発生や電極の耐用期間の短縮を抑えると共に、上水の流量の大小にかかわらず電解水の有効塩素濃度を保って一定の殺菌作用を確保することができる。
【００４２】
また、暖房コントローラ３ｇは、電解水を含む加熱した上水を噴霧させるために、温水ミスト運転と同様に、ミスト用熱交換器１４ａに循環させる温水の流量を調整する流量調整弁１４ｂの開度の調整を調整している。それ故、現在の上水流量を推定することができ、推定した現在の上水流量に比例するように電解装置１５の通電量を調整することもできる。推定した現在の上水流量に応じて通電量を調整するので、上水の最大流量に合わせて通電量を設定した場合と比べて電力消費の無駄の発生や電極の耐用期間の短縮を抑えると共に、電解水の有効塩素濃度を保って一定の殺菌作用を確保することができる。特に、過去の温水ミスト運転と同時に上水の使用（例えばシャワー２２の使用等）があって給水通路５の給水圧が低下した状態であったため小さくなった上水流量の実績値が記憶されている場合に有用である。電解水ミスト運転が停止されると、暖房コントローラ３ｇは開放したミスト水通路１３の開閉弁１６等を閉止し、電解装置１５における通電を停止する。
【００４３】
本発明の作用、効果について説明する。
ミスト噴霧装置１０は、循環させる温水の温度と流量の何れか一方又は両方に基づいて噴霧させる上水の流量を推定し、推定した上水流量に応じて電解装置１５の複数の電極間の通電量を調整する。従って、流量センサ等を使用せずに上水流量に応じて電解装置１５の複数の電極間の通電量を調整することができる。これにより、上水の最大流量に合わせて通電量を設定した場合と比べて、電力消費の無駄の発生や電極の耐用期間の短縮を抑えると共に、上水の流量の大小にかかわらず電解水の有効塩素濃度を保って一定の殺菌作用を確保することができる。
【００４４】
また、暖房コントローラ３ｇは、循環させる温水の温度、流量の過去の実績値又は現在値に基づいて上水流量を推定し、この上水流量に応じて電解装置１５における通電量を調整する。従って、電解水を含んだ上水を加熱せずに噴霧する場合及び加熱して噴霧する場合の何れの場合でも、上水流量に応じて電解装置１５の複数の電極間の通電量を調整することができる。
【００４５】
暖房コントローラ３ｇは、流量調整弁１４ｂの開度を調整することによってミスト用熱交換器１４ａに循環させる温水の流量を調整し、流量調整弁１４ｂの開度に比例するように電解装置１５の通電量を調整する。従って、循環させる温水の流量が大きい程加熱して噴霧する上水の流量も大きいことを反映させて、循環させる温水の流量に比例する流量調整弁１４ｂの開度に比例するように電解装置１５の複数の電極間の通電量を調整することができる。
【００４６】
暖房コントローラ３ｇは、温水往き温度センサ６ｂの検知温度から温水戻り温度センサ１４ｃの検知温度を減算した差温（温水の往きと戻りの差温）に比例するように通電量を調整する。従って、循環させる温水のミスト用熱交換器１４ａにおける熱交換前後の差温が大きい程加熱する上水の流量も大きいことを反映させて、温水の往きと戻りの差温に比例するように電解装置１５の複数の電極間の通電量を調整することができる。
【００４７】
ミストノズル３ａを備えた浴室暖房装置３は壁掛タイプのものであってもよく、ミストユニット１１は浴室暖房装置３とは別体に構成されて熱源機２との間で温水を循環させて加熱した上水をミストノズル３ａから噴霧するように接続されていてもよい。その他、当業者であれば、本発明の趣旨を逸脱することなく、上記実施形態に種々の変更を付加した形態で実施可能であり、本発明はそのような変更形態を包含するものである。
【符号の説明】
【００４８】
１      ：浴室
２      ：熱源機
３      ：浴室暖房装置
３ａ    ：ミストノズル
３ｃ    ：暖房用熱交換器
３ｇ    ：暖房コントローラ（制御手段）
５      ：給水通路
６      ：暖房往き通路
６ｂ    ：温水往き温度センサ（第１温度センサ）
７      ：暖房戻り通路
８      ：バイパス通路
１０    ：ミスト噴霧装置
１１    ：ミストユニット
１３    ：ミスト水通路
１３ａ  ：ミスト水温度センサ
１４    ：加熱手段
１４ａ  ：ミスト用熱交換器（熱交換器）
１４ｂ  ：流量調整弁
１４ｃ  ：温水戻り温度センサ（第２温度センサ）
１５    ：電解装置（電解水生成手段）
【図１】
2020130850.tif 000003
【図２】
2020130850.tif 000004